(57)【要約】【課題】屋根に容易に取り付けること可能で、かつ、取付対象物が屋根の底面から一定の高さとなる屋根用取付金具を提供する。【解決手段】山部及び谷部が連続する断面波形の折板屋根４に取り付けるために山部を覆う、頂部が平らな山型形状のブラケット１０と、ブラケット１０を折板屋根４にボルト２２とナット２３とで固定するための固定部２０と、ブラケット１０の頂部の平らな部分に設けたボルト装着用のボルト孔３１と、ボルト孔３１に嵌合するボルト３２と、ボルト３２に嵌合し、回転させることによりボルト３２の軸方向に移動するとともに上端に取付対象物５を取り付けるためのクランプ３６を有する移動部３４と、を備えて屋根用取付金具１。【選択図】図４
2020200715.tif 000002
【特許請求の範囲】
【請求項１】
山部及び谷部が連続する断面波形の折板屋根に取り付けるために山部を覆う、頂部が平らな山型形状のブラケットと、
前記ブラケットを前記折板屋根に固定するための固定部と、
前記ブラケットの頂部に装着され、前記折板屋根に対して垂直方向に伸縮可能、かつ、上端に取付対象物を取り付け可能な高さ調整部と、
を備えたことを特徴とする屋根用取付金具。
【請求項２】
請求項１に記載の屋根用取付金具において、
前記高さ調整部は、
前記ブラケットの頂部の平らな部分に設けたボルト装着用のボルト孔と、
前記ボルト孔に嵌合するボルトと、
前記ボルトに嵌合し、前記ボルトの軸方向に移動するとともに、上端が前記取付対象物を取り付け可能に形成されている移動部と、
を備えていることを特徴とする屋根用取付金具。
【請求項３】
請求項１又は請求項２に記載の屋根用取付金具において、
前記高さ調整部は、
前記上端に取付対象物を取り付けるためのクランプを備えていることを特徴とする屋根用取付金具。
【発明の詳細な説明】
【技術分野】
【０００１】
本発明は、屋根に断熱用ボードなどを設置する際に用いる屋根用取付金具に関する。
【背景技術】
【０００２】
従来、折板屋根の頂部に予め取り付けられている既設の取付ブラケットを介して折板屋根の頂部にソーラーパネルを簡単かつ確実に設置することができるソーラーパネルの取付構造がある。
【０００３】
このソーラーパネルの取付構造は、既設の取付ブラケットにボルトとナットを介して締結固定され、表面にボルトのシャンク部を上向きに突出させた第１の取付金具と、この第１の取付金具から突出したシャンク部にナットを介して締結固定され、第１の取付金具との間でソーラーパネルの端部を挟持する第２の取付金具と、を備え、第１の取付金具の表面と第２の取付金具の裏面との間でソーラーパネルの端部を挟み込んで固定するようにしたものである（例えば、特許文献１参照）。
【先行技術文献】
【特許文献】
【０００４】
【特許文献１】特開２０１５−２２９９１６号公報
【発明の概要】
【発明が解決しようとする課題】
【０００５】
上記従来のソーラーパネルの取付構造では、ソーラーパネルを既設の屋根の折板に容易に取り付けることができる。ところが、第１の金具の表面と第２の取付金具の裏面との間にソーラーパネルの一部を鋏込んで、ソーラーパネルを屋根に固定するようになっているため、劣化などによって屋根の折板が変形して凹凸が生じている場合、ソーラーパネルの屋根の底面からの高さが一定ではなくなるという問題がある。
【０００６】
本発明は、上述の課題の少なくとも一部を解決するためになされたものであり、屋根に容易に取り付けること可能で、かつ、取付対象物が屋根の底面から一定の高さとなる屋根用取付金具を提供することを目的とする。
【課題を解決するための手段】
【０００７】
本発明は、以下の適用例として実現することが可能である。なお、本欄における括弧内の参照符号や補足説明等は、本発明の理解を助けるために、後述する実施形態との対応関係を示したものであって、本発明を何ら限定するものではない。
【０００８】
［適用例１］
適用例１に記載の屋根用取付金具（１）は、
山部及び谷部が連続する断面波形の折板屋根（４）に取り付けるために前記山部を覆う、頂部が平らな山型形状のブラケット（１０）と、
前記ブラケット（１０）を前記折板屋根（４）に固定するための固定部（２０）と、
前記ブラケット（１０）の前記頂部に装着され、前記折板屋根（４）に対して垂直方向に伸縮可能、かつ、頭部に前記取付対象物（５）を取り付け可能な高さ調整部（３０）と、
を備えたことを要旨とする。
【０００９】
このような屋根用取付金具（１）は、ブラケット（１０）を折板屋根（４）の山部を覆うように配置し、固定部（２０）により折板屋根（４）に固定する。そして、ブラケット（１０）の頂部に装着されている高さ調整部（３０）の頭部に取付対象物（５）を取り付けて伸縮させることにより、取付対象物（５）の折板屋根（４）に対する高さを調整することができる。
【００１０】
したがって、取付対象物（５）を屋根に容易に取り付けること可能で、かつ、取付対象物（５）の屋根の底面からの高さを一定とすることが可能となる。また、取付対象物（５）の屋根の底面からの高さが一定となるため、取付対象物（５）が断熱ボードである場合には、断熱ボートと屋根の底面との間に所定の容量の断熱空間を確保できるため、断熱性能を高めることもできる。
【００１１】
［適用例２］
適用例２に記載の屋根用取付金具（１）は、適用例１に記載の屋根用取付金具（１）において、
前記高さ調整部（３０）は、
前記ブラケット（１０）の頂部の平らな部分に設けたボルト装着用のボルト孔（３１）と、
前記ボルト孔（３１）に嵌合するボルト（３２）と、
前記ボルト（３２）に嵌合し、前記ボルト（３２）の軸方向に移動するとともに、上端部が前記取付対象物（５）を取り付け可能に形成されている移動部（３４）と、
を備えていることを要旨とする。
【００１２】
このような屋根用取付金具（１）は、折板屋根（４）の山部に孔を設け、その孔とブラケット（１０）の頂部の平らな部分に設けたボルト装着用のボルト孔（３１）とが同一軸となるように、固定部（２０）でブラケット（１０）を山部に取り付けることができる。  また、ボルト孔（３１）にボルト（３２）を嵌合させ、そのボルト（３２）に移動部（３４）を嵌合させ、回転させて高さの調整を行ってから移動部（３４）の上端部に取付対象物（５）を取り付けるだけで容易に取付対象物（５）の高さ調整が可能となる。
【００１３】
［適用例３］
適用例３に記載の屋根用取付金具（１）は、適用例１又は適用例２に記載の屋根用取付金具（１）において、
前記高さ調整部（３０）は、
前記頭部に取付対象物（５）を取り付けるためのクランプ（３６）を備えていることを要旨とする。
【００１４】
このような屋根用取付金具（１）は、高さ調整部（３０）の頭部に設けられたクランプ（３６）により取付対象物（５）を締め付けて装着することが可能であるため、取付対象物（５）を容易に屋根に取り付けることが可能となる。
【図面の簡単な説明】
【００１５】
【図１】屋根用取付金具の概略の構成を示す図である。
【図２】屋根用取付金具により、取付対象物を取り付けた際の概略の状態を示す断面図である。
【図３】第２実施形態の屋根用取付金具の概略の構成を示す図である。
【図４】第２実施形態の屋根用取付金具により、取付対象物を取り付けた際の概略の状態を示す断面図である。
【図５】第２実施形態の屋根用取付金具により、断熱パネルを取り付けた際の状態を示す写真である。
【図６】第３実施形態の屋根用取付金具の概略の構成及び取付対象物を折板屋根に取り付けた状態を示す断面図である。
【発明を実施するための形態】
【００１６】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１７】
［第１実施形態］
（屋根用取付金具の構成）
図１に基づき、屋根用取付金具１の構成について説明する。図１は、屋根用取付金具１の概略の構成を示す図であり、図１（ａ）は正面図、図１（ｂ）は平面図、図１（ｃ）は側面図である。
【００１８】
図１に示すように、屋根用取付金具１は、ブラケット１０、固定部２０、高さ調整部３０を備えている。
【００１９】
ブラケット１０は、山部及び谷部が連続する断面波形の折板屋根４に取り付けるために山部を覆うような形状に形成された部材である。また、ブラケット１０は、鉄などの金属の平板を頂部が平らな山型形状に折り曲げて形成してある。さらに、頂部の平たい部分には、折り線方向に沿って、折り線方向と直角方向の略中央部分に、固定用孔２１と高さ調整用孔３１の２個の孔が設けられている。
【００２０】
固定部２０は、ブラケット１０を折板屋根４に固定するための部分であり、ブラケット１０の固定用孔２１と、固定用孔２１に挿通する金属性の六角頭部付のボルト２２及びナット２３と、金属製のワッシャ２４とを備えている。
【００２１】
高さ調整部３０は、ブラケット１０の頂部に装着され、折板屋根４に対して垂直方向に伸縮可能、かつ、頭部に取付対象物５を取り付け可能な部分であり、ボルト孔３１、ボルト３２、ナット３３及び移動部３４を備えている。
【００２２】
ボルト孔３１は、ブラケット１０の頂部の平らな部分に設けた、ボルト３２を装着するためのいわゆる通し孔である。また、ボルト孔３１には、通し孔とほぼ同軸となるように、ブラケット１０の頂部の平らな面にステンレスなどの金属性のナット３３が溶接や接着などで固定されている。このナット３３とボルト３２の一端部とが嵌合しボルト孔３１にボルト３２を固定するようになっている。また、ボルト３２は、ボルト孔３１に嵌合するステンレスなどの金属性のボルトである。
【００２３】
移動部３４は、ボルト３２の他端部（ボルト孔３１に嵌合する一端部と反対の端部）に嵌合し、回転させることによりボルト３２の軸方向に移動するとともに、頭部（上端部）が取付対象物５を取り付け可能に形成されている部分である。
【００２４】
移動部３４は、軸方向が長尺ないわゆる六角ボルトであり、頭部には、ボルト３２の中心軸と同一軸となるようにネジ部３５が形成されている。このネジ部３５を利用して取付対象物５を取り付けるようになっている。
【００２５】
（屋根用取付金具の使用方法）
次に、図２に基づき屋根用取付金具１の使用方法について説明する。図２は、屋根用取付金具１により、取付対象物５を取り付けた際の概略の状態を示す断面図であり、図２（ａ）は正面図、図２（ｂ）は側面図である。
以下の（１）〜（６）の手順によって取付対象物５を折板屋根４の所定の範囲に取り付ける。
【００２６】
（１）折板屋根４の山部の平らな部分に、ブラケット１０の固定用孔２１に対応する位置とボルト孔３１に対応する位置にそれぞれ孔を穿っておく。
（２）ブラケット１０を折板屋根４の山部に被せ、図２に示すように、山部の孔の軸と固定用孔２１との軸とがほぼ一致する位置で、ボルト２２をワッシャ２４に挿通させてからナット２３に嵌合させ、ボルト２２の六角頭部で締め付け、ブラケット１０を折板屋根４に固定する。
【００２７】
（３）ブラケット１０のボルト孔３１のナット３３にボルト３２の一端部をねじ込んで固定する。
（４）ナット３３に固定したボルト３２の他端部に移動部３４をねじ込み、折板屋根４の谷部の底面から移動部３４の上端部までの高さが所定の高さとなるように調整する。
【００２８】
（５）取付対象物５を移動部３４の上端に載置し、ボルト４０を移動部３４の内面に形成されたネジ部３５にねじ込んで固定する。
（６）（１）〜(５）の手順を繰り返し、取付対象物５を折板屋根４の所定の範囲に固定していく。
【００２９】
（屋根用取付金具の特徴）
以上に説明した屋根用取付金具１は、ブラケット１０を折板屋根４の山部を覆うように配置され、固定部２０により折板屋根４に固定されている。また、ブラケット１０の頂部に装着されている高さ調整部３０の移動部３４の頭部に取付対象物５を取り付けて伸縮させることにより、取付対象物５の折板屋根４に対する高さを調整することができる。
【００３０】
したがって、取付対象物５を屋根に容易に取り付けること可能で、かつ、取付対象物５の屋根の底面からの高さを一定とすることが可能となる。
取付対象物５として、断熱パネル５を折板屋根４の全面に取り付けた場合、断熱パネル５の高さが折板屋根４の全面に亘って谷部の底面から等しくなる。換言すれば、断熱パネル５と折板屋根４とでできる空間の高さが一定となる。
【００３１】
したがって、夏期など断熱効果を期待する場合には、折板屋根４の全面に亘って一定の断熱効果を得ることができ、逆に冬期など保温効果を期待する場合には、折板屋根４の全面に亘って保温効果を得ることができる。
【００３２】
［第２実施形態］
次に、図３及び図４に基づいて、第２実施形態の屋根用取付金具２について説明する。図３は、第２実施形態の屋根用取付金具２の屋根用取付金具２の概略の構成を示す図であり、図３（ａ）は正面図、図３（ｂ）は側面図である。
【００３３】
また、図４は、屋根用取付金具２により、取付対象物５を取り付けた際の概略の状態を示す断面図であり、図４（ａ）は正面図、図４（ｂ）は側面図である。
なお、第２実施形態における屋根用取付金具２は第１実施形態における屋根用取付金具１と類似しているため、同じ構成要素には同じ符号を付し、その説明を省略する。
【００３４】
図３に示すように、第２実施形態における屋根用取付金具２は、移動部３４の上端にクランプ３６を取り付けたものである。クランプ３６の基部には移動部３４の上端内側面のネジ部３５と嵌合するようにネジ加工が施してある。
【００３５】
屋根用取付金具２を使用する場合は、図４に示すように、第１実施形態の屋根用取付金具１と同様に折板屋根４にブラケット１０及び高さ調整部３０を固定し、高さ調整部３０の移動部３４の上端の高さ調整を行う。
【００３６】
その後、移動部３４内側のネジ部３５にクランプ３６の基部のネジ部をねじ込んで移動部３４にクランプ３６を取り付ける。
クランプ３６でパイプ状の断熱パネル取付バー５０をクランプして、断熱パネル取付バー５０を折板屋根４に固定する。
【００３７】
断熱パネル固定バー５０を折板屋根４に固定した後、断熱パネル取付バー５０に断熱パネル５をボルト５１で取り付ける。
このようにして折板屋根４に断熱パネル５を取り付けた様子を図５に示す。図５は、屋根用取付金具２により、断熱パネル５を取り付けた際の状態を示す写真である。
【００３８】
以上のように、クランプ３６を用いて断熱パネル５を取り付けることにより、非常に簡単で効率よく断熱パネル５の取付作業を行うことが可能となる。
【００３９】
［第３実施形態］
次に、図６に基づいて、第３実施形態の屋根用取付金具３について説明する。図６は、第３実施形態の屋根用取付金具３の概略の構成及び取付対象物５を折板屋根４に取り付けた状態を示す断面図であり、図６（ａ）は正面図、図６（ｂ）は側面図である。
なお、第３実施形態における屋根用取付金具３は第２実施形態における屋根用取付金具２と類似しているため、同じ構成要素には同じ符号を付し、その説明を省略する。
【００４０】
図６に示すように、屋根用取付金具３では、固定部２０のボルトの代わりに六角ビス２５を用いており、屋根を構成する胴縁のＣ鋼７（単にＣ鋼７とも呼ぶ）に、六角ビス２５の先端をねじ込んで、ブラケット１０を折板屋根４に固定する。
【００４１】
また、固定用孔２１は、固定の際の位置合わせが容易となるように、折板屋根４の稜線方向に長孔となるようなルーズ孔となっている。また、固定用孔２１の裏面（折板屋根４の側））には、防水のためのパッキン２６を挟み込んで、防水効果を得るようにしている。
【００４２】
［その他の実施形態］
（１）上記実施形態では、ブラケット１０の断面形状が、頂部が平らな山形形状としていたが、折板屋根４の形状に合わせて異なる断面形状、例えばコの字型の断面形状となるようにしてもよい。
【００４３】
（２）上記第実施形態では、高さ調整部３０のボルト３２と移動部３４と別々の部品で構成したが、ボルト３２と移動部３４とを一体成型し、一体成型したもの全体を回転させて高さ調整を行うようにしてもよい。
【００４４】
（３）上記実施形態では、ブラケット１０に溶接などで固定されたナット３３とボルト孔３１にボルト３２を通すことにより、高さ調整部３０をブラケット１０に固定していたが、ボルト３２の先端部分をブラケット１０に直接溶接することにより固定するようにしてもよい。
【符号の説明】
【００４５】
１，２，３… 屋根用取付金具  ４… 折板屋根  ５… 取付対象物（断熱パネル）  ４… Ｃ鋼  １０… ブラケット  １１… ボルト孔  １２… ボルト  ２０… 固定部  ２１… 固定用孔  ２２… ボルト  ２３… ナット  ２４… ワッシャ  ２５… 六角ビス  ２６… パッキン  ３０… 高さ調整部  ３１… ボルト孔  ３２… ボルト  ３３… ナット  ３４…移動部  ３５… ネジ部  ３６… クランプ  ４０… ボルト  ５０… 断熱パネル取付バー  ５１… ボルト。
【図１】
2020200715.tif 000003
【図２】
2020200715.tif 000004
【図３】
2020200715.tif 000005
【図４】
2020200715.tif 000006
【図５】
2020200715.tif 000007
【図６】
2020200715.tif 000008